(57)【特許請求の範囲】
【請求項１】
上部に投入ホッパーを備えた破砕機ケーシング(1) の内部に一対の回転軸が平行に配置され、これら各回転軸(2) に所定幅の環状スペーサ(4) と破砕刃(5) とが軸方向に交互に配設されてなる２軸式回転破砕機において、環状スペーサ(4) の軸方向の一端に刃取付け台部(3) が一体に設けられ、各刃取付け台部(3) には、破砕刃(5) の軸側端部(5a)を嵌め入れる凹部(3a)が設けられ、凹部(3a)の底面は断面六角形を有し、各刃取付け台部(3) の外周面、すなわち凹部(3a)の断面六角形の底面には円周方向に所定間隔で位置決め用の凹所(8) が６個設けられ、各刃取付け台部(3) に配される所定厚さの環状の破砕刃(5) は、円周方向に連続する６個の分割片に区分され、各分割片は内面に位置決め用の突部(7) を有しており、破砕刃(5) の各分割片の突部(7) を刃取付け台部(3) の凹所(8) に嵌め込むことによって、各分割片を刃取付け台部(3) の所定位置に位置決めし、各分割片が刃取付け台部(3) にボルト(6) で取り付けられ、各刃取付け台部(3) に環状の破砕刃(5) が配されることを特徴とする、２軸式回転破砕機における回転刃の取付け装置。
【発明の詳細な説明】
【０００１】
【発明の属する技術分野】
本発明は、一般廃棄物、産業廃棄物などの廃棄物を破砕する２軸式回転破砕機における回転刃の取付け装置に関するものである。
【０００２】
【従来の技術】
２軸式回転破砕機は、一般廃棄物、産業廃棄物などの大型廃棄物を破砕するのに特に好適な破砕機である。
【０００３】
この種の回転破砕機としては、ピースカッター方式（実開平７−３７３３８号公報参照）、カッターチップ方式（実開平７−２５９４３、実開平７−２５９４４、実開平７−２５９４５、特開平７−２０４５３１号各公報参照）、モノカッター方式（回転刃一体型）などが知られている。
【０００４】
従来の回転破砕機は、図５および６に示すように、箱型フレーム内(51)に平行状に配置された断面六角形の一対の回転軸(52)に、所定厚みの環状スペーサ(54)と環状破砕刃(55)が交互に配されている。環状スペーサ(54)と環状破砕刃(55)はこれらの断面六角形の中央透孔に回転軸(52)が嵌め合わされることによって、回転軸(52)にこれに対し非回転状に取付けられている。各回転軸(52)に取り付けられた破砕刃(55)は、その外周部が軸方向に見て交互に重なるように、すなわち千鳥状に配されている。
【０００５】
【発明が解決しようとする課題】
上記従来の回転破砕機では、スペーサ(54)と破砕刃(55)はいずれも環状のものであるので、破砕刃の取り替えの際には、スペーサ(54)と破砕刃(55)を順次回転軸(52)の一端までスライドさせて取り外す必要がある。
【０００６】
しかし、このようにスペーサ(54)と破砕刃(55)をすべて回転軸(52)の一端までスライドさせて取り外すやり方では、刃取替え作業がはなはだ面倒であった。
【０００７】
本発明は、この点に鑑み、刃取替え作業を簡便に行うことができる２軸式回転破砕機を提供することを目的とする。
【０００８】
【課題を解決するための手段】
本発明の２軸式回転破砕機における回転刃の取付け装置は、上部に投入ホッパーを備えた破砕機ケーシング(1) の内部に一対の回転軸が平行に配置され、これら各回転軸(2) に所定幅の環状スペーサ(4) と破砕刃(5) とが軸方向に交互に配設されてなる２軸式回転破砕機において、環状スペーサ(4) の軸方向の一端に刃取付け台部(3) が一体に設けられ、各刃取付け台部(3) には、破砕刃(5) の軸側端部(5a)を嵌め入れる凹部(3a)が設けられ、凹部(3a)の底面は断面六角形を有し、各刃取付け台部(3) の外周面、すなわち凹部(3a)の断面六角形の底面には円周方向に所定間隔で位置決め用の凹所(8) が６個設けられ、各刃取付け台部(3) に配される所定厚さの環状の破砕刃(5) は、円周方向に連続する６個の分割片に区分され、各分割片は内面に位置決め用の突部(7) を有しており、破砕刃(5) の各分割片の突部(7) を刃取付け台部(3) の凹所(8) に嵌め込むことによって、各分割片を刃取付け台部(3) の所定位置に位置決めし、各分割片が刃取付け台部(3) にボルト(6) で取り付けられ、各刃取付け台部(3) に環状の破砕刃(5) が配されることを特徴としている。
【０００９】
【発明の実施の形態】
以下、本発明の実施の形態を、図面に基づき説明する。
【００１０】
図１から図４において、(1) は２軸式回転破砕機のケーシングで、上方開口状の直方体をなし、その上方開口部に破砕物を投入するものである。また、このケーシング(1) の下部には破砕された破砕処理物を排出するための処理物排出口（図示省略）が設けられている。
【００１１】
上記ケーシング(1) の破砕用空間室には、断面六角形の一対の回転軸(6) が互いに平行に配置され、これら各回転軸(2) には所定幅の環状スペーサ(4) と破砕刃(5) が軸方向に交互に配設されている。各回転軸(2) に取り付けられた破砕刃(5) は、その外周部が軸方向に見て交互に重なるように、すなわち千鳥状に配されている。
【００１２】
環状スペーサ(4) の軸方向の一端には刃取付け台部(3) が一体に設けられ、この刃取付け台部(3) 付き環状スペーサ(4) を貫通する断面六角形の中央孔が開けられている。刃取付け台部(3) 付き環状スペーサ(4) の中央孔を回転軸(2) に嵌め合わされることによって、刃取付け台部(3) 付き環状スペーサ(4) が多数隣接状に回転軸(2) にこれに対し非回転状に取付けられている。
【００１３】
図３と図４に示すように、各刃取付け台部(3) には、破砕刃(5) の軸側端部(5a)を嵌め入れる凹部(3a)が設けられ、凹部(3a)の底面は断面六角形を有している。各刃取付け台部(3) の外周面、すなわち、凹部(3a)の断面六角形の底面には円周方向に所定間隔で位置決め用の凹所(8) が６個設けられている。各刃取付け台部(3) に配される所定厚さの環状の破砕刃(5) は、円周方向に連続する６個の分割片に区分されており、各分割片は内面に位置決め用の突部(7) を有する。
【００１４】
破砕刃(5) の各分割片の突部(7) を刃取付け台部(3) の凹所(8) に嵌め込むことによって、各分割片を刃取付け台部(3) の所定位置に位置決めし、ついで各分割片を刃取付け台部(3) に２本のボルト(6) で取り付ける。こうして、各刃取付け台部(3) に環状の破砕刃(5) が配される。
【００１５】
破砕刃の取り替えの際には、ボルト(6) を外し、破砕刃(5) の分割片を新しいものと交換するだけでよく、刃取付け台部(3) 付き環状スペーサ(4) を回転軸(2) から外す必要はない。
【００１６】
【発明の効果】
本発明による２軸式回転破砕機における回転刃の取付け装置によれば、破砕刃を取り替える際には、ボルト(6) を外し、破砕刃(5) の分割片を新しいものと交換するだけでよく、刃取付け台部(3) 付き環状スペーサ(4) を回転軸(2) から外す必要はない。したがって、刃取替え作業を簡便に行うことができる。
【図面の簡単な説明】
【図１】  本発明の２軸式回転破砕機の実施の形態の概略構成を示す平面図である。
【図２】  本発明の２軸式回転破砕機の実施の形態の概略構成を示す側面図である。
【図３】  図１中のIII−III線に沿う断面図である。
【図４】  図３中のIV−IV線に沿う断面図である。
【図５】  従来技術を示す、図３に対応する断面図である。
【図６】  従来技術を示す、図４に対応する断面図である。
【符号の説明】
１：破砕用ケーシング
２：回転軸
３：刃取付け台部
３ａ：凹部
４：環状スペーサ
５：破砕刃
５ａ：破砕刃の軸側端部
６：ボルト
７：位置決め用の突部
８：位置決め用の凹所
【図１】
0003639921.tif 000002
【図２】
0003639921.tif 000003
【図３】
0003639921.tif 000004
【図４】
0003639921.tif 000005
【図５】
0003639921.tif 000006
【図６】
0003639921.tif 000007